(57)【要約】      （修正有）【課題】左右に並置した回路遮断器のいずれか一方の回路遮断器ハンドルをＯＮあるいはＯＦＦの位置にロックできるようにして機能拡張を図る。【解決手段】回路遮断器１Ａ，１Ｂのいずれか一方の回路遮断器のハンドル（ロッカー式）１ａをＯＦＦ位置に鎖錠するメカニカルインターロック装置で、２台の回路遮断器の間に介装した基台３ｂと、該基台に嵌挿し、操作ノブ３ｃを介して左右スライド可能に案内支持されたスライドレバー３ａとからなり、かつスライドレバーには鎖錠操作位置で基台からの突き出し部位に南京錠４を掛ける左右一対の錠掛け穴３ｅを開口したものにおいて、前記の錠掛け穴３ｅとは別に、スライドレバー３ａの左右両端に南京錠の掛け穴３ｆ−１，３ｆ−２を追加形成した。【選択図】  図１
2007234495.tif 000002
【特許請求の範囲】
【請求項１】
左右に並置した２台の回路遮断器のいずれか一方の回路遮断器のハンドルをＯＦＦ位置に鎖錠するメカニカルインターロック装置であり、該装置が２台の回路遮断器の間に介装した基台と、該基台に嵌挿し、操作ノブを介して左右スライド可能に案内支持されたスライドレバーとからなり、かつスライドレバーには鎖錠操作位置で基台からの突き出し部位に南京錠を掛ける左右一対の錠掛け穴を開口したものにおいて、
前記の錠掛け穴とは別に、スライドレバーの左右両端に南京錠の掛け穴を追加形成したことを特徴とする回路遮断器のメカニカルインターロック装置。
【発明の詳細な説明】
【技術分野】
【０００１】
本発明は、オートブレーカ（配線用回路遮断器），漏電遮断器などに適用するメカニカルインターロック装置に関する。
【背景技術】
【０００２】
周知のように頭記のメカニカルインターロックは、左右に並べて配電盤，制御盤などに配備した２台の回路遮断器について、いずれか一方の回路遮断器の開閉操作ハンドル（ロッカー式ハンドル）をＯＦＦ位置に機械的に鎖錠しておくための装置であり（例えば、特許文献１参照）、回路遮断器のメーカーではこのメカニカルインターロックを回路遮断器の外部付属装置としてユーザーに提供している。
【０００３】
また、前記のメカニカルインターロック装置について、左右に並ぶ２台の回路遮断器の間に介装したインターロック装置の基台にスライド式のスライドレバーを嵌挿し、このスライドレバーをノブ操作により左右にスライドさせて一方の回路遮断器のハンドルをＯＦＦ位置に鎖錠した上で、さらにこの位置でスライドレバーに南京錠を施錠して不測な操作ミスを防ぐようにしたメカニカルインターロック装置が知られており（例えば、非特許文献１参照）、その従来構造を図３，図４に示す。
図３において、１Ａ，１Ｂは左右に並べて盤内の取付ベース２に設置した回路遮断器、１ａは回路遮断器を開閉操作するロッカー式ハンドル、３はメカニカルインターロックである。ここで、メカニカルインターロック３は、図４で示すように平板状のスライドレバー３ａと、該スライドレバー３ａを嵌挿して左右方向（矢印Ｐ）にスライド可能に案内支持する基台３ｂと、該基台３ｂの上面に形成した長穴を通してスライドレバー３ａに植設した操作ノブ３ｃと、基台３ｂを取付ベース２に固定する支持脚３ｄとの組立体になり、かつスライドレバー３ａの板面には南京錠４を掛けて該レバーをこの位置に拘束するように、操作ノブ３ｃを基準にして基台３ｂから左右に突き出す部位に一対の錠掛け穴３ｅ（図示では右側の穴は基台の中に入り込んで描かれてない）が穿孔されている。なお、図示例の支持脚３ｄを使わずに、メカニカルインターロック３の基台３ｂを回路遮断器の前面に配したフラッシュパネルなどに配して使用するタイプもある。
【０００４】
上記のメカニカルインターロック３を使って図３の左側に並ぶ回路遮断器１ＡをＯＦＦ位置に鎖錠する場合には、回路遮断器１Ａのハンドル１ａをＯＦＦ位置に倒した状態で、メカニカルインターロック３のノブ３ｃを左側に操作してスライドレバー３ａの先端部分をロッカー式ハンドル１ａの背後に突き出す。次に、スライドレバー３ａの左側に穿孔した図示の錠掛け穴３ｅに南京錠４のシャックル４ｂ（図４参照）を引っ掛けて施錠する。
これにより、スライドレバー３ａは図示位置に拘束されて回路遮断器１Ａのハンドル１ａがＯＦＦ位置に鎖錠されることになる。なお、この状態では右側に並ぶ回路遮断器１Ｂのハンドル１ａはメカニカルインターロック３に拘束されることなく自由な開閉操作が可能である。一方、前記とは逆に右側に並ぶ回路遮断器１ＢをＯＦＦ状態に鎖錠するには、スライドレバー３ａを右側にスライド操作してその先端をハンドル１ａの背後に突き出した上で、スライドレバーの右側領域に穿孔した錠掛け穴（図４では基台３ｂの中に入り込んでいる）に南京錠４を掛けるようにする。
【特許文献１】実開平５−９２９４２号公報
【非特許文献１】オンラインカタログ“富士オートブレーカ・漏電遮断器”、ｐ．６６「メカニカルインターロック」、富士電機制御機器株式会社、［online］、[平成１８年３月１日検索]、インターネット＜URL： HYPERLINK "http://www.fujielectric.co.jp/fcs/jpn/edc/catalog2/EH235/EH235a#C5.pdf" http://www.fujielectric.co.jp/fcs/jpn/edc/catalog2/EH235/EH235a#C5.pdf＞
【発明の開示】
【発明が解決しようとする課題】
【０００５】
ところで、図３，図４で述べたメカニカルインターロック装置を使用しているユーザーによっては、安全管理面から２台の回路遮断器１Ａ，１Ｂのうちの回路遮断器１Ａをメカニカルインターロック３によりＯＦＦ状態に鎖錠している実使用状態で、さらに他方の回路遮断器１Ｂのハンドル１ａをＯＮあるいはＯＦＦの位置にロックするような要請があるが、先記したメカニカルインターロック３の従来構造のままではこのような要請には対応できない。そのために先記のメカニカルインターロック３とは別に、回路遮断器を単独でＯＮ，ＯＦＦ位置に南京錠で鎖錠するロック装置が必要となる。
【０００６】
本発明は上記の点に鑑みなされたものであり、先記のメカニカルインターロックのスライドレバーに簡単な変更を加え、これに南京錠を組み合わせることで非鎖錠側の回路遮断器のハンドルをＯＮあるいはＯＦＦの位置にロックできるようにして機能拡張を図った回路遮断器のメカニカルインターロック装置を提供することを目的とする。
【課題を解決するための手段】
【０００７】
上記目的を達成するために、本発明によれば、左右に並置した２台の回路遮断器のいずれか一方の回路遮断器のハンドルをＯＦＦ位置に鎖錠するメカニカルインターロック装置であり、該装置が２台の回路遮断器の間に介装した基台と、該基台に嵌挿し、操作ノブを介して左右スライド可能に案内支持されたスライドレバーとからなり、かつスライドレバーには鎖錠操作位置で基台からの突き出し部位に南京錠を掛ける左右一対の錠掛け穴を開口したものにおいて、
メカニカルインターロック装置の実使用状態で非鎖錠側の回路遮断器のハンドルをＯＮもしくはＯＦＦ位置にロックさせるための手段として、前記の錠掛け穴とは別に、スライドレバーの左右両端に南京錠の掛け穴を追加形成するものとする。
【発明の効果】
【０００８】
上記構成のメカニカルインターロック装置を使って一方の回路遮断器をＯＦＦ状態に鎖錠している使用状態で、非鎖錠側の回路遮断器をＯＮ，あるいはＯＦＦ位置に鎖錠したい場合には、この非鎖錠側の回路遮断器のハンドルから側方に退避しているメカニカルインターロックのスライドレバーの先端に別に用意した南京錠を掛け、ＯＮあるいはＯＦＦ位置に倒した回路遮断器のハンドルの背後に南京錠のボディを重ねるようにセットする。
【０００９】
これにより、非鎖錠側の回路遮断器ではハンドルが南京錠と干渉して現在のＯＮ，あるいはＯＦＦ位置に拘束され、南京錠を外さない限りはハンドルをこの位置からから反対位置に切り換えることが不能となる。また、前記とは逆な方向にスライドレバーをスライド操作して片方の回路遮断器をＯＦＦ状態に鎖錠している状態でも、同様に非鎖錠側の回路遮断器を同時にＯＮ，ＯＦＦ位置にロックすることか可能である。したがって、このメカニカルインターロック装置を採用することにより、一方の回路遮断器をＯＦＦ状態に鎖錠している実使用状態でも、南京錠を使って非鎖錠側の回路遮断器をＯＮ，あるいはＯＦＦ位置にロックしてユーザーの要望に応えることができる。
【発明を実施するための最良の形態】
【００１０】
以下、本発明の実施の形態を図１（ａ），（ｂ）および図２に示す実施例に基づいて説明する。なお、実施例の図中で図３，図４に対応する部材には同じ符号を付してその説明は省略する。
【００１１】
すなわち、図示実施例のメカニカルインターロック３の構造，使用方法は、図４に示した従来のものと基本的に同じであるが、図１（ｂ）で示すようにスライドレバー３ａには基台３ｂに近い側に穿孔した既存の錠掛け穴３ｅとは別に、レバーの左右両先端部分に南京錠４を掛ける一対の錠掛け穴３ｆが新たに追加形成されている。
【００１２】
次に、上記構成のメカニカルインターロック３の使用方法について述べる。まず、図１（ａ）のように左右に並置した２台の回路遮断器１Ａと１Ｂとの間にメカニカルインターロック３を設置し、そのスライドレバー３ａを左側にスライドして回路遮断器１Ａのハンドル１ａをＯＦＦ位置に鎖錠した実使用状態（図示してないがこの状態では左側の錠掛け穴３ｅに南京錠４を掛けておく）で、右側に並ぶ回路遮断器１ＢをＯＦＦ位置にロックしたい場合には、図示のように回路遮断器１Ｂのハンドル１ａから側方に後退しているスライドレバーの右先端に穿孔した錠掛け穴３ｆ−２（図１（ｂ）参照）に別に用意した南京錠４のシャックル４ｂを引っ掛け、そのボディ４ａがＯＦＦ位置に倒したハンドル１ａの背後に来るようにセットする。
【００１３】
これにより、回路遮断器１Ｂのハンドル１ａは南京錠４に干渉して図示位置に拘束ロックされてＯＮ位置に倒すことができなくなる。つまり、メカニカルインターロック３により左側の回路遮断器１ＡをＯＦＦ位置に鎖錠した状態でも、メカニカルインターロック３を利用してこれに別な南京錠４を組み合わせることで、非鎖錠側の回路遮断器１ＢをＯＦＦ位置にロックすることができる。
【００１４】
また、回路遮断器１ＢをＯＮ位置でロックする場合には、スライドレバー３ａの右端に掛けていた南京錠４を一端外し、図２で示すようにハンドル１ａをＯＮ位置に倒した上で、南京錠４がハンドルの背後に位置するように掛け直す。これにより、回路遮断器１ＢがＯＮ位置にロックされる。なお、このハンドルロックの状態でも回路遮断器１Ｂの過電流によるトリップ動作が妨げられることはない。
【００１５】
さらに、前記とは逆にメカニカルインターロック３で右側に並ぶ回路遮断器１ＢをＯＦＦ位置に鎖錠した実使用状態でも、非鎖錠状態にある左側の回路遮断器１Ａのハンドル１ａに対してスライドレバー３ａの左先端に開口した錠掛け穴３ｆ−１に南京錠４を掛けることで、回路遮断器１Ａのハンドル１ａをＯＮもしくはＯＦＦ位置にロックすることができる。
【図面の簡単な説明】
【００１６】
【図１】本発明の実施例の構造，使用方法の説明図で、（ａ）は左側の回路遮断器をメカニカルインターロックによりＯＦＦ位置に鎖錠した実使用状態で、右側の回路遮断器のハンドルを南京錠にてＯＦＦ位置にロックした状態を表す図、（ｂ）はメカニカルインターロックの構造斜視図
【図２】図１（ａ）に対して右側の回路遮断器のハンドルを南京錠でＯＮ位置にロックした状態を表す図
【図３】従来構造のメカニカルインターロックを使用して左側に並ぶ回路遮断器のハンドルをＯＦＦ位置に鎖錠した状態を表す図
【図４】図３におけるメカニカルインターロックの詳細構造を表す外観斜視図
【符号の説明】
【００１７】
１Ａ，１Ｂ  回路遮断器
１ａ  ハンドル（ロッカー式ハンドル）
３    メカニカルインターロック
３ａ  スライドレバー
３ｂ  基台
３ｃ  操作ノブ
３ｅ  錠掛け穴
３ｆ，３ｆ−１，３ｆ−２  追加の錠掛け穴
４    南京錠
【図１】
2007234495.tif 000003
【図２】
2007234495.tif 000004
【図３】
2007234495.tif 000005
【図４】
2007234495.tif 000006